(57)【要約】【課題】    無線通信設備を直射日光から隔離し、構造が簡便で、取り付け取り外しが容易で、耐候性に優れ、且つ安価な無線通信設備のための過熱防止用袋体を提供する。【解決手段】日光隔離手段を袋体形状とし、側面部に通気性の穴を多数設けると共に袋体と物体との間に空隙部を配置し、通気性を確保し、袋体の固定手段を設けた。更には、遮光材料或いは遮光塗料も併用可能とした。【選択図】図１
2016157908.tif 000002
【特許請求の範囲】
【請求項１】
開口した底部、前面部及び上面部からなる正面部或いは前面部と上面部が一体化した正面部、正面部に結合する２枚の側面部、並びに正面部に結合する背面部から構成され、ほぼ垂直方向に存在する前面部、側面部及び背面部全体の１０％から６０％の穴面積を有する多数の穴部を配置し、２枚の側面部の二つの端部の全体に或いは部分的に設けた結合手段及び背面部の対応する位置に設けた結合手段とで側面部と背面部が結合可能なことを特徴とする物体を覆って太陽熱を遮断する過熱防止用袋体。
【請求項２】
背面部或いは側面部に設けた請求項１の結合手段とは異なる結合手段および対応する物体の背後部の壁上或いは建造物の柱或いは梁などの補助手段上に設けた結合手段とで袋体を壁上或いは建造物の補助手段上に固定可能なことを特徴とする請求項１記載の太陽熱を遮断する過熱防止用袋体。
【請求項３】
前面部の両下方部分と対応する側面部が請求項１或いは請求項２の結合手段とは異なる結合手段により結合されており、取り外しが可能なことを特徴とする請求項１及び請求項２に記載の太陽熱を遮断する過熱防止用袋体。
【請求項４】
前面部の下方部分が２つの側面自由端及び底部の自由端を有するシート体から構成され、前面部上方部分と回転軸或いは蝶番或いは軟質材量を介して結合されていることを特徴とする請求項１及び請求項２に記載の太陽熱を遮断する過熱防止用袋体。
【請求項５】
結合手段がボタン及び／或いはフック及び／或いはマジックテープ及び／或いはファスナーであることを特徴とする請求項１、請求項２及び請求項３に記載の太陽熱を遮断する過熱防止用袋体。
【請求項６】
物体が無線通信設備であることを特徴とする請求項１、請求項２、請求項３、請求項４及び請求項５に記載の太陽熱を遮断する過熱防止用袋体。
【請求項７】
袋体の上面部から５０ｍｍから２００ｍｍ低い高さの位置に、物体頭頂部と接して袋体を支える少なくとも２本の交差する紐体或いは帯体を含む複数の紐体或いは帯体からなる支持体を有することを特徴とする請求項１、請求項２、請求項３、請求項４、請求項５及び請求項６に記載の太陽熱を遮断する過熱防止用袋体。
【請求項８】
袋体の底部から中央部の間の任意の高さの位置に設けた複数のスリット及びこのスリットを貫通する紐体或いは帯体により物体に固定できることを特徴とする請求項１、請求項２、請求項３、請求項４、請求項５、請求項６及び請求項７に記載の太陽熱を遮断する過熱防止用袋体。
【請求項９】
袋体の正面部、側面部及び背面部がセラミックス繊維を主体とする材料からなり、その表面に遮光材料或いは遮光塗料が配置されていることを特徴とする請求項１、請求項２、請求項３、請求項４、請求項５、請求項６、請求項７及び請求項８に記載の太陽熱を遮断する過熱防止用袋体。
【発明の詳細な説明】
【技術分野】
【０００１】      本発明は、特に移動体通信用に使用する無線通信設備の太陽熱による過熱を防止する過熱防止用袋体に関する。
【背景技術】
【０００２】      従来の通信無線設備は、双方向通信が可能なモバイル、Ｗｉ−Ｆｉなどの通信末端を使用する分野で広範に、且つ数多く使用されているが、移動体通信設備は温度の変化に弱く、特に過熱による影響が大きい。過度な温度上昇などからその機能が損なわれるため、予防措置としてシャットダウンする機器が大部分であった。シャットダウンに伴うラインの対策として、早期復旧と原因究明のため、作業員を現地へ向かわせる調整等に多大なる時間、人材及び経費を必要とするため、何らかの対策が望まれていた。
上記問題点を解決するため、これまで屋内型移動体通信設備は、空調設備により建屋内を冷却する方法が一般的には利用されてきた。しかし、屋外型通信設備に対する対策は取られていなかった。また無線通信設備が単数あるいは複数に係わらず、冷却のために要する電力量は膨大になり、省エネルギー、炭酸ガス発生量の抑制という環境面からも好ましくない状況にあった。そのため、より手軽で、作業性もよく、エネルギー消費量の少ない、且つ安価な過熱防止手段が求められていた。
【発明の概要】
【発明が解決しようとする課題】
【０００３】      本発明は、前記の現状を考慮し、屋外型の無線通信設備を直射日光から隔離し、構造が簡便な、取り付け取り外し作業が容易で、耐候性に優れ、且つ安価な過熱防止用袋体を提供することを目的とする。
【課題を解決するための手段】
【０００４】      本発明では上記課題を解決するために、鋭意研究した結果、無線通信設備単体或いは単数或いは複数の無線通信設備を収納した建て屋を、開口した底部、前面部及び上面部からなる正面部或いは前面部と上面部とが一体化した正面部、正面部に結合した２枚の側面部及び背面部から構成され、ほぼ垂直方向に存在する前面部、側面部及び背面部の全体に、全面積の１０〜６０％に相当する通気性に富む通気穴を設け、また無線通信設備と本発明の器具の間に空隙部を配置した本発明の器具で覆うことにより、無線通信設備を太陽光から遮断でき、通気性も損なわず、無線通信設備の温度上昇を著しく抑制できることを見出した。
本発明の袋体は、ほぼ垂直方向に配置したシート上に通気性を高めるための通気性穴部を有しており、上面部シートと無線通信設備頭頂部間には空隙部を設けるための紐体或いは帯体からなる支持体を、上面部シートの近傍の高さに配置している。また袋体下部のほぼ垂直方向のシート上に設けたスリットを貫通する紐体或いは帯体で無線通信設備に安定に固定できる。
本発明体の袋体は、側面部の端部及び背面部の端部に設けた第一の結合手段により側面部と背面部を結合し、完全な袋体を形成できる。またこの第一の結合手段とは異なる第二の結合手段を背面部或いは側面部に配置し、対応する壁の上或いは柱や梁の上に設けた結合手段との協業により袋体を壁上或いは柱や梁上に固定することもできる。結合手段としては特に制約はないがボタン、フック、マジックテープなどを使用できる。簡便性からマジックテープの使用が好ましい。前記したスリットと紐体による固定手段とを組み合わせてより強固に固定可能である。
袋体はその表面を遮光材料或いは遮光塗料等で覆うことも可能であり、その場合には太陽光は遮光材料或いは遮光塗料により反射され、直射日光の影響は更に低減可能となる。
【発明の効果】
【０００５】      本発明の利点は次の通りである。第１の利点は、無線通信設備を袋体で覆ったことにより、直射日光から隔離でき、その温度上昇を低減できることである。その表面に遮光材料或いは遮光塗料を配置することにより、低減効果はさらに高まる。第２の利点は、ほぼ垂直方向に配置したシート上に通気性を高める穴部を設けたことにより、無線通信設備表面に設けた放熱フィンによる放熱を妨げないことである。第３の利点は、袋体上面部シートに近い位置に設けた紐体或いは帯体からなる支持体で無線通信設備頭頂部と上面部シート間に空隙部分を創出したことにより、無線通信設備上部にも通気が可能となり、放熱効果を促進していることである。第４の利点は、袋体下部に設けたスリット及びそれを貫通する紐体或いは帯体により、簡単に無線通信設備を安定な状態で固定可能な点である。第５の利点は、袋体の側面部と背面部に設けた第一の結合手段を用い、袋体の背面部と策面部を任意に結合或いは切り離すことができ、無線通信設備の状況に応じて取り付けが容易な点である。第６の利点は、第二の結合手段を用いて壁上或いは柱や梁などの建造物補助材上に固定できる点である。第７の利点は、改めて強調しておくが直射日光から隔離する手段として袋体形状の覆いを用いた点である。袋体であることは、製造コストを安価に抑え、施工も著しく容易で、覆う対象物の大きさにも容易に対応できる。
これら効果を集約すると本発明の袋体を使用することにより、無線通信設備本体の稼働負荷軽減、シャットダウンに伴う対応に要するコスト低減、電気使用量の削減が可能となる。
【発明を実施するための最良の形態】
【０００６】      本発明の実施の形態について図面を参照しながら説明する。
図１は本発明の袋体の一実施例の外観概要図である。本発明の袋体は、開口部１を有する底部、前面部２、上面部３、２枚の側面シート４及び背面部シート５から構成される。上面部シート３は太陽光を遮蔽できる材料であれば特に限定されない。硬質材料或いは柔軟材料何れも使用可能であるが、運搬や保管の面からは折り畳み、小容量化が可能な柔軟材料の方が好ましい。前面部シート２、側面シート４及び背面部シート５は、通気性を保持するため、ほぼ垂直方向に配置された前面部、側面部及び背面部全体の１０％から６０％を占める通気穴部を有しておればよく、材料の種類は限定されない。織布、不織布或いは合成材料のフィルムやシート何れも使用可能である。穴部もメッシュ状、パンチングした穴など形状も任意に選択できるが、穴部はほぼ均一に分散していることが望ましい。正面部と側面部、側面部と上面部或いは上面部と背面部の接合は縫合、熱融着或いは接着剤による接合など材料に合わせた接合方法を選択できる。本発明の器具は常時外気に晒されるため、耐候性に優れた材料の使用が好ましい。例えば、セラミックス繊維等である。
本発明の袋体は、袋体を構成する材料単独でも使用が可能であるが、その表面に遮光材料や遮光塗料を配置させることも可能である。この場合、太陽光が反射され、袋体の遮光効果は向上する。
袋体の側面部の二つの垂直端部上には第一の結合手段９が全面あるいは部分的に配置されており、対応する背面部の結合手段と連携して容易に結合或いは取り外しが可能である。具体的には無線通信設備が壁際に設置されていても、背面部５を取り外すことにより容易に無線通信設備を袋体で覆うことが可能である。一方第二の結合手段を利用して壁上或いは柱や梁などの建造物補助材上に容易に袋体を固定することができる。
本発明の袋体は、その上面部シート３の近傍に紐体或いは帯体４〜なる支持体を配置している。この紐体或いは帯体６は複数からなり、少なくともその中の２本は互いに対角線上に交差して存在している。
図３に示すように、この紐体或いは帯体６は、無線通信設備１０の頭頂部で器具を支え、無線通信設備頭頂部と上面部シート３間に空隙部１０を形成する。空隙部１０の通気によっても無線通信設備の昇温は抑制される。
図２は本発明の器具を無線通信設備に固定する手段の一実施例の概念図である。ほぼ垂直方向に配置したシート上に設けた複数のスリット中を紐体或いは帯体を貫通させ、更にその端部を縛ることで容易に無線通信設備に安定して固定できる。
【実施例】
【実施例１】
【０００７】      幅６００ｍｍ×奥行き３００ｍｍ×高さ８００ｍｍの無線通信設備単体に、白色で、厚みが約１ｍｍの綿繊維からなる織布材料で作製した、前面部及び側面部の通気性穴の面積が全体の４０％で、上部空隙間隔が５０ｍｍの幅６５０ｍｍ×奥行き３５０ｍｍ×高さ８００ｍｍの器具を取り付け、外気３０℃〜３２℃の条件下、コンクリート建造物の屋上に４時間放置した。４時間後の無線通信設備表面４箇所の平均表面温度は３１℃に保持されていた。
【実施例２】
【０００８】      袋体を取り付けなかった以外は実施例１と同様の条件で無線通信設備単体をコンクリート建造物の屋上に４時間放置した。４時間後の無線通信設備表面４箇所の平均表面温度は４３℃であった。
【実施例３】
【０００９】      袋体の材料がセラミックス繊維を主体とした材料で、且つ表面をナノ金属コーティング処理した以外は実施例１と同様の条件で、コンクリート建造物の屋上に４時間放置した。４時間後の無線通信設備表面４箇所の平均表面温度は３０℃に保持されていた。
【図面の簡単な説明】
【００１０】
【図１】  本発明の器具の一実施例の外観概略説明図である。
【図２】  本発明における固定手段の一実施例の外観概略説明図である。
【図３】  本発明における上部空隙部の一実施例の横断面概略説明図である。
【産業上の利用可能性】
【００１１】本発明の無線通信設備のための過熱防止用器具は、特に移動体通信設備の分野で無線通信設備の過度な温度上昇を防ぐことにより、過熱によるシャットダウンの低減、シャットダウンに対する対応のための時間、人材、経費の削減、冷却のための電力量の削減に大いに貢献できる。
【符号の説明】
【００１２】      １    開口した底部
２    前面部
３    上面部
４    側面部
５    背面部
６    紐体或いは帯体
７    第１の結合手段
８    側面上のスリット
９    スリットを貫通する紐体或いは帯体
１０    無線通信設備と過熱防止用袋体間の空隙部
１１    無線通信設備
１２    第２の結合手段
【図１】
2016157908.tif 000003
【図２】
2016157908.tif 000004
【図３】
2016157908.tif 000005